(57)【特許請求の範囲】
【請求項１】
長方形筺体の内部に、案内羽根入り吹出エルボ、
整流格子、 有圧換気扇、吸込エルボ、プレフィルタを順次格納し、案内羽根入り吹出エルボの吹出口とプレフィルタとを筺体の同一側面上に配置して第1通風ボックスを構成し、案内羽根入り吹出エルボを上にして第1通風ボックスを通路床面上に設置し、第1通風ボックスと同一構造の第2通風ボックスを案内羽根入り吹出エルボを下にして通路横幅Xgの間隔で第1通風ボックスに対して倒立対面する様に通路床面上に設置し、第1通風ボックスの案内羽根入り吹出エルボの吹出口を第２通風ボックスのプレフィルタに直接対峙させ、第２通風ボックスの案内羽根入り吹出エルボの吹出口を第１通風ボックスのプレフィルタに直接対峙させ、第1通風ボックスの頂部と第2通風ボックスの頂部とを連結する通風ボックス幅と同一幅の通路天板を設置してエアカーテン装置通路を形成し、エアカーテン装置通路横幅Xgの値を吹出口幅Dに対しXg≦5Dに設定した内循環軸対称上下段向流方式エアカーテン装置であって、
案内羽根入り吹出エルボは、曲板の前後に平板を接続した案内羽根をエルボ内に配設した案内羽根入り吹出エルボにおいて、次式に基づきm個の相似部分流路を形成し、エルボ内壁を隣接する案内羽根の曲板と同心の曲板に変形させ、n=1部分流路を流路幅が流路入口幅b1の同心ベンド等幅流路としたことを特徴とする矩形断面で拡大率fが1<f≦5の案内羽根入り吹出エルボであり、
p=h/[{f/(f-r)}ｍ-１]             
(1式)
aｎ=pr{f/(f-r)
}ｎ 
(2式)
bｎ=aｎ/f                         
(3式)
f=W0/h     
(4式)
W=W0-(a１-ｂ１ )                    (5式)
p:案内羽根流出端張出し長さ
h:流入口幅
W0:基準流出口幅
W:流出口幅
f:エルボ拡大率(f=W０/h)
r:部分流路縦横比(ただし、r<f)
m:部分流路数
aｎ:n番目の部分流路出口幅(ただし、a0=内壁半径、aｍ=外壁半径)
bｎ:n番目の部分流路入口幅
案内羽根入り吸込エルボは、曲板とこれに接続する平板とからなる1枚以上の案内羽根により、次式に基づいて、互いに相似形の複数の部分流路に区分されたことを特徴とする案内羽根入り吸込エルボであり、
p=h/[{f/(f-r)}ｍ-1]                
(6式)
aｎ=pr{f/(f-r)}ｎ 
(7式)
bｎ=aｎ/f                           
(8式)
p:流入口張出し長さ
W:流入口幅
h:流出口幅
f:エルボ縮小率(f=W/h,1<f≦5)
r:部分流路縦横比
m:部分流路数(m≧2)
aｎ:n番目の部分流路入口幅(ただし、a0はエルボ内壁の曲率半径を示し、aｍはエルボ外壁の曲率半径を示す)
bｎ:n番目の部分流路出口幅
エアカーテン装置の上段非対称吹出口面と下段非対称吹出口面によって、通路全体の吹出口面が軸対称吹出口面を形成する事によって、上段非軸対称噴流コア幕と下段非軸対称噴流コア幕が同時に無渦流の平行流化して、それぞれ上段平行流エアカーテンおよび下段平行流エアカーテンとなり、内循環軸対称上下段向流エアカーテン装置が平行流エアカーテン装置を形成したことを特徴とするエアカーテン装置。
【請求項２】
吹出エルボ入口初期風速が吹出エルボ出口初期風速に減速することによる動圧回収効果により、初期運転時に有圧換気扇初期出口圧力を負圧に保持して、上段平行流エアカーテンおよび下段平行流エアカーテンの初期運転風量が、有圧換気扇のフリーエア風量と同一風量となることを特徴とする請求項１に記載のエアカーテン装置。
【請求項３】
第1通風ボックスの吹出エルボの吹出口および第２通風ボックスの吹出エルボの吹出口の全長にイオン電極棒を設置してイオン平行流エアカーテン装置を構成する事を特徴とする請求項1又は２に記載のエアカーテン装置。
【発明の詳細な説明】
【技術分野】
【０００１】
本発明はエアカーテン装置に関するものである。
【背景技術】
【０００２】
エアカーテン装置は噴流空気の応用装置である。エアカーテン装置に関する噴流技術を記述する。
図1に、非特許文献1より引用した「ノズルより静止空間中に噴出する空気自由噴流の速度分布」を示す。図1(a)および図1(b)に示す速度分布形状は、ノズル近傍とそれより下流の2領域に分けることができる。ノズル近傍の領域は初期領域とよばれ、中心に噴流コアが存在し、その周囲に噴流と周囲流体とが混合して渦流を含む混合領域が存在する。ノズル出口から下流に向かい混合領域が拡大し、コア領域が縮小してついになくなる。これより下流領域を発達領域と呼び混合流が拡散する領域である。
図1(a)に示す噴流コアは、図2に示す三次元軸対称ダクトの乱流助走区間出口ノズルにおいて形成される無渦流の平行流コアを示し、平行流コア長さX1≒10Dである。
図1(b)に示す噴流コアは、二次元ノズルにおいて形成される渦流を含む混合流コアを示し、混合流コア長さX2≒6Dである。
図1(a)の平行流コアは無渦流のため強固な気流遮断性能を示し、図1(b)の混合流コアは渦流を含んでいるので、気流遮断性能は低い。
図1(a)および図1(b)に示す噴流コアの周囲には、周囲流体との間の大きな速度勾配と流体の粘性作用の巻き込みの結果として混合領域が存在し、噴流外縁が形成される。噴流外縁上には巻き込みによる誘引流が発生し、周囲流体を混合領域内に取込む。
【０００３】
図2に、(非特許文献2)より図1(a)の平行流コアが形成される乱流助走区間を示す。乱流助走区間流入口において渦流を含む混合流体が均一速度で流入し、ダクト壁に薄い境界層が発生して流れが下流に進むに従い境界層の厚さが増し、渦流が減少しながらある距離La（これを助走区間長さという）に至って渦流が消滅して、ダクト断面の速度分布が一定の無渦流の平行流が形成される。平行流は速度分布を変化させることなくダクト内を定常速度で平行移動する。このように助走区間流入部における渦流成分は助走区間中に消滅し、助走区間終了部では渦流成分を含まない無渦流の平行流が形成される。非特許文献3より乱流助走区間長さLa≒50Dである。(D：助走区間がダクトの場合はダクト幅、助走区間が円形の場合は直径).
図3に、(非特許文献4)より引用した二次元スロット吹出口を示す。二次元スロット吹出口で形成される渦流を含む混合流コア幕は、気流遮断性能が低いが、装置の製造が容易なために従来のエアカーテン装置に広く使用されている。
【０００４】
図4(a)に非特許文献5より助走区間を経て十分に発達した長方形ダクト断面等速度線図を示し、図4(b)に非特許文献6より助走区間を経て十分に発達した乱流平行流速度分布を示す。図4(a)および(b)に示す様に、十分に発達した乱流平行流は、X-X軸およびZ-Z軸に対して対称の軸速度分布を形成し、各速度成分のベクトルが同一方向の無渦流の平行流を形成する。
図5(a)に長方形助走区間端吹出口に形成される平行流コアを示す。図5(b)に、長方形助走区間端吹出口に天板および床板を延長した吹出口に形成される平行流コア幕を示す。平行流コア幕で形成したエアカーテン装置は高度の機能を有している。
【先行技術文献】
【特許文献】
【０００５】
【特許文献１】(特許第4884547号)「案内羽根入り吹出エルボ」
【特許文献２】(特許第2948199号)「案内羽根入り吸込エルボ」
【特許文献３】(特開2014-35844)「イオン発生装置およびこれを備えた除電装置」
【非特許文献】
【０００６】
【非特許文献１】社河内敏彦著「噴流工学」、森北出版株式会社、2004,p.4
【非特許文献２】技術資料「管路・ダクトの流体抵抗」、日本機械学会、1991,p.23
【非特許文献３】技術資料「管路・ダクトの流体抵抗」、日本機械学会、1991,p.26
【非特許文献４】技術資料「新版工場換気」、空気調和・衛生工学会、2009,p.44
【非特許文献５】技術資料「管路・ダクトの流体抵抗」、日本機械学会、1991,p.48
【非特許文献６】技術資料「管路・ダクトの流体抵抗」、日本機械学会、1991,p.25
【非特許文献７】神部勉,「ながれの事典」、丸善株式会社、2004,p.472
【非特許文献８】瀧澤清一「除去対象物質と各種フィルタ、(1)粒子状汚染物」、空気調和衛生工学、第76巻、第10号，p.7
【非特許文献９】日本バイリーン(株)「再生式フィルタ、カタログ」
【非特許文献１０】山田豊,他3名共著「機械工学概論」、朝倉書店、1988,p.111
【非特許文献１１】三菱換気送風機総合カタログ、2014,p.567
【非特許文献１２】「店舗営業における無駄なエネルギー使用の排除と省エネルギーのあり方検討会、検討のまとめ」東京都環境局都市地球環境部計画調整課、平成24年11月
【非特許文献１３】「職場における喫煙対策のためのガイドライン」厚生労働省、平15
【非特許文献１４】「新しい感染症病室の施設計画ガイドライン」へるす出版、2001,P.157
【発明の概要】
【発明が解決しようとする課題】
【０００７】
図3に示す現状のスロット形式の渦流を含む混合流エアカーテン装置に対して、図5(b)に示した無渦流の平行流コア幕を使用した平行流エアカーテン装置の開発を課題とした。
【課題を解決するための手段】
【０００８】
図6に請求項1に記載の内循環軸対称上下段向流方式エアカーテン装置を示す。第1通風ボックス100a,第2通風ボックス100bおよび通路天板8で構成され、エアカーテン装置の吹出口幅D, 通路寸法は高さ2L,横幅Xg≦5Dとした。図1(a)に示す平行流コアの長さX1≒10Dであるが、平行流コアの強度が安全に維持される設計長さとして、1/2の5Dに設定した。第1通風ボックス100aと第2通風ボックス100bは同一構造物であり、長方形筐体1a,1bの内部に、案内羽根入り吹出エルボ2a,2b,整流格子3a,3b,有圧換気扇4a,4b,案内羽根入り吸込エルボ5a,5b,プレフィルタ6a,6bを順次格納し、案内羽根入り吹出エルボ2a,2bの吹出口14a,14bとプレフィルタ6a,6bを順次格納し、案内羽根入り吹出エルボ2a,2bの吹出口14a,14bとプレフィルタ6a,6bを筐体1a,1bの同一側面上に配置している。プレフィルタの詳細は(非特許文献8)および(非特許文献9)に依る。
吹出口14a,14ｂの高さは同一でＬである。エアカーテン装置は、第1通風ボックス100aと第2通風ボックス100bとの倒立対面配置で構成されているので、上段非軸対称噴流コア幕20aと下段非軸対称噴流コア幕20bが中央水平面10を中心にした対称状態で向流する。中央水平面10上には非特許文献7に記載のケルビン・ヘルムホルツ不安定性のせん断層渦列11(図12参照)が形成され、上段非軸対称噴流コア幕20aと下段非軸対称噴流コア幕20bを結合してせん断層渦列11を中心軸にした内部循環上下軸対称向流噴流コア幕が形成され、図6のエアカーテン装置が構成された。上段吹出口14aと下段吹出口14bが向流対面配置の場合でも、中心軸10を軸対称にした三次元軸対称長方形吹出口と同様に、図13に示すように実機試験により平行流エアカーテンが形成される事が実証された。
図2に示す乱流助走区間入口部では渦流を含む混合流が流入し、助走区間中に渦流が減少して助走区間出口端で渦流の無い同一方向流の平行流が形成されるので、助走区間の機能は渦流除去区間と考えることが出来る。
図4(a)に示す長方形ダクト助走区間端で形成される平行流横断面速度分布は、中心線X-Xより上段の非軸対称速度分布と、下段の非軸対称速度分布が合成されて形成された軸対称平行流の速度分布と見なすことが出来るので、図6に示す内循環軸対称上下段向流方式エアカーテン装置は、図7に示す非軸対称吹出口の案内羽根入り吹出エルボ2a,2bを、上下に配置した軸対称エアカーテン装置と見なすことが出来る。また、案内羽根入り吹出エルボが有する拡大流動に伴う動圧回収効果により、駆動用ファンに低圧大風量の有圧換気扇の採用が可能である。
【０００９】
案内羽根入り吹出エルボ2a,2bは、特許第4884547号(特許文献1)の案内羽根入り吹出エルボであり、図7に示すように、曲板の前後に平板を接続した案内羽根をエルボ内に配設した案内羽根入り吹出エルボで、次式に基づきm個の相似部分流路を形成し、エルボ内壁を隣接する案内羽根の曲板と同心の曲板に変形させ、n=1部分流路を流路幅が流路入口幅b1の同心ベンド等幅流路としたことを特徴とする矩形断面で、拡大率が1<f≦5、流出口幅Wの案内羽根入り吹出エルボである。
p=h/[{f/(f-r)}m-1]                
(1式)
an=pr{f/(f-r)}n
(2式)
bn=an/f
(3式)
f=W0/h                            
(4式)
W=W0-(a1-b1)                       
(5式)
p:案内羽根流出端張出し長さ
h:流入口長さ
f:エルボ拡大率(f=W0/h),
1<f≦5
m:部分流路数
an:n番目の部分流路出口幅(ただし、nが0の場合は内壁半径、nがmの場合は外壁半径を示す)
bn:n番目の部分流路入口幅
W0:基準流出口長さ
W:流出口長さ
r:部分流路縦横比(=縦寸法に対する横寸法の比=(横寸法)/(縦寸法)
r=(B2C1)/(A1C1)=(B3C2)/(A2C2)=(B4C3)/(A3C3)=(B5C4)/(A4C4)、図7参照
図7に示すように、(1式),(2式),(3式),(4式)に基づいて設計した流入口幅がhで流出口幅が基準値W0の案内羽根入り吹出エルボにおいて、内壁を第1案内羽根側に(a1-b1)だけ移動して通路幅b1の第1部分通路を作成する。ｒの値はエルボ拡大率fおよび吹出し角度90°の関数で、実測値である。
【００１０】
図8に図7の案内羽根入り吹出エルボで形成される噴流流線図を示す。図6のエアカーテン装置のファン4aで発生した回転混合気流は、図15の整流格子3aで回転成分が除去されて吹出エルボに流入し、吹出エルボ内の各案内羽根により90°の方向変更を受けると共に、遠心力で案内羽根横方向の風速が均一化され、各部分流路の形状は相似で通路流動抵抗は同一のため、図8に示す各案内羽根出口端14における風速は内壁および外壁部を除き各案内羽根で同一速度となる。吹き出し空気流は非対称の軸速度分布を形成するが、各速度成分のベクトル方向は略同一である。また、図8に示す各部分流路は相似拡大流路のため案内羽根の背面に図示の相似固定渦が発生し、安定した拡大流動が形成される。
図9に図8に示した噴流流線図の噴流幕写真を示す。この噴流写真よりエルボ拡大率fに対し、垂直噴流を示す部分流路縦横比rの値を求めることが出来る。写真に示す案内羽根入り吹出エルボ単独の噴流幕は、吹出部断面が軸対称でないので平行流コア幕は形成されず、混合流コア幕が形成される。前述のごとく、吹き出し空気流は非対称の軸速度分布を形成するが、各速度成分のベクトル方向は略同一である。
【００１１】
案内羽根入り吸込エルボ5a,5bは、特許第2948199号 (特許文献2)の案内羽根入り吸込エルボであり、図10(a)に示すように、曲板とこれに接続する平板からなる1枚以上の案内羽根により、次式に基づいて、互いに相似形の複数の部分流路に区分されたことを特徴とする案内羽根入り吸込エルボである。
p=h/[{f/(f-r)}m-1]               
(6式)
an=pr{f/(f-r)}n
(7式)
bn=an/f                           
(8式)
ここに
p:流入口張出し長さ
W:吸込口長さ
h:流出口長さ
f:エルボ縮小率(f=W/h,1<f≦5)
m:部分流路数(m≧2)
an:n番目の部分流路入口幅(ただし、a0はエルボ内壁の曲率半径を示し、amはエルボ外壁の曲率半径を示す)
bn:ｎ番目の部分流路出口幅
r:部分流路縦横比(=縦寸法に対する横寸法の比=(横寸法)/(縦寸法)   
r:部分流路縦横比(=縦寸法に対する横寸法の比=(横寸法)/(縦寸法)
r=(B2C1)/(A1C1)=(B3C2)/(A2C2)=(B4C3)/(A3C3)=(B5C4)/(A4C4)、図10参照
(6式), (7式), (8式)で得られる吸込エルボは、案内羽根入り吹出エルボの計算式(1式), (2式), (3式)で得られる案内羽根入りエルボと同一形状のエルボである。
【００１２】
図10(b)に、の縮小率f=5.0、吸込口長さ1,000mmの吸込エルボ吸込速度分布を示す。本吸込エルボは優れた均一吸込特性を有しており、平行流エアカーテン装置の有圧換気扇4aおよび4bの吸込部に吸込エルボ5aおよび5bを設置して、吸込プレフィルタ6aおよび6b全体の均一吸込を実現し、プレフィルタに圧力損失の小さいプレフィルタの使用が可能となり、有圧換気扇初期出口圧力P1値の低下により長期連続運転が可能になった。
図11に、図6に示す平行流エアカーテン装置の吸込フィルタ6a,6bの背面にそれぞれ設置した吸込エルボ5を示す。吸込エルボは吸込口フィルタ面積の約1/2を支持しながら誘引し、残りの吸込口フィルタの誘引気流はフアン4の側部吸込気流として誘引し、吸込口フィルタ全体の均一吸込みが可能になった。
【００１３】
図12は中央水平面10上に形成する(非特許文献7)に記載のケルビン・ヘルムホルツ不安定性せん断層渦列11を示す。図6に示した平行流エアカーテン装置において、上段非軸対称噴流コア幕20aと下段非軸対称噴流コア幕20bを結合して、せん断層渦列11を中心軸にした内循環上下段向流方式の合成軸対称平行流エアカーテンが形成された。上段非軸対称噴流コア幕20aと下段非軸対称噴流コア幕20bは同一平均速度で上下段対称の状態で向流しているので、図12(b)の渦列11を構成する各渦流の大きさは同一寸法になる。
【００１４】
図13に、請求項1に示した図6のエアカーテン装置200の流速分布の測定値を示す。測定に使用したエアカーテン装置200の要目は、通路高さ2L＝2,100mm,
吹出口幅D＝400mm,通路横幅Xg＝5D=2,000mmである。上段非軸対称噴流コア幕20aと下段非軸対称噴流コア幕20bは、上段と下段で向流するコア幕を形成しているので、流動状態の判定を容易にするために、上段コア幕の速度分布と下段コア幕の速度分布の測定値を同一方向に合わせて●点で示した。流速の測定は通路横幅Xg＝2,000mmを4等分した(1),(2),(3)の3垂直線上で行った。通路の水平中央部には固定渦流のせん断層渦列11が存在するので、速度表示は無い。図13から分かるように、流動形状は凹皿型で、(1),(2),(3)の平均流速値は何れも3.1m/sの同一数値を示し、流動状態は、流線ごとに特定速度で水平流動を保持し、一定の速度分布が平行移動する、平行流状態を示している。この測定結果により、上段非軸対称噴流コア幕20aと、下段非軸対称噴流コア幕20bが向流の場合でも軸対称平行流エアカーテンが形成される事が示された。
【００１５】
さらに本試験において、図1に示す平行流コアの噴流外縁上に発生する誘引流は、噴流コア幕の噴流外縁全面に均一に発生し、誘引速度は噴流速度3.1m/sの場合に0.2m/s均一であった。誘引流はエアカーテン通路面(高さ2100mm×横幅2000mm)の両側全面で発生し、浮遊塵の同伴取込みを行う。以上の試験結果より、図6の内循環軸対称上下段向流方式エアカーテン装置の気流幕は図5(b)の平行流コア幕であることが立証されたので、図6の装置200は平行流エアカーテン装置である。
【００１６】
以下に使用頻度の多い平行流エアカーテン装置設計例を示す。
図14に図6に示す平行流エアカーテン装置200の通風ボックス100a内部の機械装置と各部の静圧および流速記号を示す。プレフィルタ6aの詳細は(非特許文献8)および(非特許文献9)による。
図15に図14に示す機械装置内の整流格子3aおよび縮流ダクト12を示す。
整流格子3aは気流の回転成分を除去し、縮流ダクト12は吹出エルボ2aの吹出口幅Dの値を有圧換気扇口径F以下に縮小する場合に使用する。
表1および表2に平行流エアカーテン装置の設計値を示す。吹出口動圧回収値ΔP1(16式)により有圧換気扇フリーエア風量運転が可能である。
V2=Qa/LD                               
(9式)
V2=2.0〜3.5m/s                         
(10式)（対人安全風速値）  
f=W/h=L/F,(1<f≦5)                     
(11式)
V1=fV2 
(12式)
X1=KD(1<K≦5)                           
(13式)
V3=Qa/LE                                
(14式)
ΔP0=H0(V3/V0)2
(15式) (非特許文献9)
ΔP1=(ρV12/2)(1/f2-1)                   
(16式) (非特許文献10)
P1=ΔP0+△P1                              (17式)
ここに、
F;換気扇口径
D;吹出エルボ幅(D=F)(図6参照)
2L;通路高さ(図6参照)
L;吹出エルボ出口高さ(W=L)(図6参照)
L;プレフィルタ高さ(図6参照)
W;吹出エルボ出口長さ(図7参照)
h;吹出口エルボ入口長さ(h=D）
f;吹出エルボ拡大率(f=W/h, 1<f≦5)
P1；有圧換気扇初期出口圧力(圧力はゲージ圧表示)
ΔP1；動圧回収値Pa 
Qa;有圧換気扇フリーエア風量m3/s
(P1=標準大気圧時の風量)
ρ;空気密度=1.204(kg/m3) 
A;吹出エルボ入口面積=D2(m2)
V1;吹出エルボ入口初期風速=Qa/A(m/s)
V2;吹出エルボ出口初期風速(m/s)=V1/f
E;プレフィルタ幅(m)
V3;プレフィルタ初期吸込風速m/s
V0;プレフィルタ標準風速m/s(非特許文献9)
H0;プレフィルタ標準圧力損失Pa(非特許文献9)
ΔP0；プレフィルタ初期圧力損失Pa(非特許文献9)
X1:乱流自由噴流初期領域長(平行流コア長X1≦10D)(図1参照)
Xg;エアカーテン装置通路横幅Xg≦5D(図6参照)
K;平行流エアカーテン長さ倍率
注；図1(a)の三次元ダクト形吹出口の吹出実験によれば平行流コア幕長さX1≦10Dであるが、平行流エアカーテン装置の必要通路横幅Xgの設計値を1/2のXg≦5Dとしたので、気流幕強度が保持された。
【００１７】
表1および表2に、換気扇径400mmおよび500mmを使用し、例1;対人通路(高さ2,100mm),例2;車両用通路(高さ2,500mm)および例3；(高さ2,800mm)計3例の平行流エアカーテン装置の設計例を示す。
注；換気扇径400mm以下および500mm以上の設計例は省略した。
【表１】
0005881227.tif 000002
表1の内容
No.1; エアカーテン通路高さ2L(設計指定値)
No.2; 有圧換気扇口径F(非特許文献11)
No.3; 有圧換気扇フリーエア風量Qa(非特許文献11)
No.4; 吹出エルボ幅D
No.5; 吹出フリー風速V2                (9式)
No.6; 通路横幅Xg (設計指定値)
No.7; 吹出エルボ拡大率f 
【表２】
0005881227.tif 000003
表2の内容
No.8; プレフィルタ幅E
No.9; プレフィルタ面積LE
No.9; プレフィルタ高さL
No.10; プレフィルタ初期吸込風速V3           (14式)
No.11; プレフィルタ初期圧力損失△P0                 (15式)
No.12; 動圧回収値△P1                         (16式)
No.13; 有圧換気扇初期出口圧力P1              (17式)
【００１８】
本発明の平行流エアカーテン装置は(16式)に示した動圧回収効果により、プレフィルタ初期状態で換気扇出口圧力P1値は負圧状態で運転を開始する。表1,表2の設計例No,1の場合について説明すると、初期状態ではP1≒(-14.1Pa)の負圧の状態で運転を開始する。
P1値はケーシング装着の気圧計に表示される。運転に伴い浮遊塵汚染によりプレフィルタ圧力損失が増加し、P1値は負圧からゲージ圧ゼロに上昇する。この負圧の期間はフリー風量一定で風速V2≒3.2m/sが保持される。汚染の進行でP1値がプラス圧の領域に入ると風量は次第に減少してV2≒2m/sでプレフィルタを交換する。図26に示した射出成型工場の運転成績では、工場内浮遊塵はプラスチックス微粉が多いので、平均連続運転時間は24時間でプレフィルタを交換した。図27に示した塗装工場使用例では、プレフィルタの汚染は塗装液体状の浮遊微滴が多いので、プレフィルタ上で乾燥した場合の固体浮遊塵が少ないために、プレフィルタ交換間隔が長くなった。
【００１９】
「換気回数と換気効果」
平行流エアカーテン装置の適用建屋面積を下記に示す。
室内循環流による換気性能の計算例として、表1および表2の例1に示した通路開口高さ2,100mm,
通路開口横幅2,000mmの平行流エアカーテン装置に対する計算を示す。
(1),室内誘引風量Q1(=Q2)
Q1=エアカーテン通路面積xV4=2.1mx2mx0.2m/s=0.84m3/s=3,024m3/h
V4;室内誘引気流23の誘引速度、V4≒0.2m/s(実測値)
(2),標準換気室容積W 
換気回数n=Q1/W,
W=Q1/n   換気回数n=8 (通常の事務室の場合)
室内容積W=Q1/n=3,024/8≒370m3
(3),室内面積A=370/3≒120m2。(室内天井高さ3mの場合)
平行流エアカーテン装置は片面あたり120m2相当の室内浄化性能を有している。
(4),平行流エアカーテン装置を出入口に設置しないで室内に設置した場合、1台当たり240m2相当の室内浄化性能を有している。
【００２０】
請求項2に記載のイオン電極棒付き平行流エアカーテン装置を図16に示す。
図13の流速分布測定に用いたエアカーテン装置200の吹出口14aおよび14bの中央部にイオン電極棒27aおよび27bを設置したイオン平行流エアカーテン装置300で測定した除電時間対除電距離線図を、図18の除電性能曲線(2)に示した。
図17に示す従来のイオン送風型除電装置の除電時間対除電距離線図(1)を図18に示した。除電性能曲線(1)は従来の口径120mm前後の小口径フアンを使用したイオン気流装置の代表例として、（特許文献3）より引用した。
図18において、従来のイオン送風型除電装置の除電性能曲線(1)と、イオン平行流エアカーテン装置の除電性能曲線(2)を比較すると、除電時間1.0秒の除電距離は性能曲線(1)では10cm、性能曲線(2)では50cm、除電時間2秒の除電距離は性能曲線(1)では40cm、性能曲線(2)では80cmである。イオン送風型除電装置では、渦流を含む混合気流を使用するために正負イオン間の接触によるイオン損耗が多いために除電距離が短くなり、イオン平行流エアカーテン装置では、渦流を含まない平行気流のためにイオン損耗が少ないために除電距離が長くなる結果が示された。エアカーテン装置では、除電時間2.0秒の除電距離を有効距離として、通路横幅Xg≒80cmに設定可能である。
図19に通路横幅Xg≒80cmのイオン平行流エアカーテン装置を示す。
イオン平行流エアカーテン装置のエアカーテン気流幕(幕厚さ400mm)を通過する時間を人員歩行速度より平均2秒に想定すれば、通路横幅Xg≒800mmが有効寸法になる。
図20において、イオン平行流エアカーテン装置を複式にすれば、通路横幅Xg≒1600mmmに拡大出来るので、小型車両の除塵通過が可能となる。
【００２１】
図21に給気換気扇32および排気換気扇33を設置した第1種換気法を示す。換気室29の開放出入口に、平行流エアカーテン装置200または300を設置した場合の気流分布を示す。本例は機械給気量Q3≒機械排気量Q4、室内圧Pr≒0の場合を示し、噴流外縁25,26に沿って誘引気流23,24が発生し、装置上段気流20aにより内部誘引風量Q1および外部誘引風量Q2が誘起される。内部循環量Qaは常に一定の運転が継続されるので、室内では室内誘引量Q1=室内旋回量Q5である。
下段旋回流39は図6に示す下段平行流コア幕20bで発生し、上段旋回流40は上段平行流コア幕20aで発生する。室内浮遊塵および付着塵は下段旋回流39および上段旋回流40に同伴して混合領域流21内に流入し、プレフィルタ6bで部分的にろ過捕集される。この捕集作業は連続して行われ、室内が清浄化される。工場および事業場(オフィス、小売業、飲食店、病院、ホテル、学校、サービス施設等)を総称する事業所に広く適用する事ができる。
【００２２】
図22に給気量Q7＞自然排気量Q8、室内圧Pr＞0の正圧に保持する第2種換気室30を示す。
第2種換気法は外部有害浮遊塵の侵入を防止する換気法であり、室内旋回量Q9=室内誘引量Q1-(機械給気量Q7-排気量Q8)である。
下段旋回流39は図6に示す下段平行流コア幕20bで発生し、上段旋回流40は上段平行流コア幕20aで発生する。
旋回する流れに室内浮遊塵が同伴輸送され、プレフィルタ6a,6bでろ過捕集される。付着塵はイオン平行流エアカーテン装置で人体や資材より剥離され、プレフィルタ6a,6bにより、粒子径dがd≧5μｍの路上浮遊塵、花粉、Pm10,鳥インフルエンザウイールス汚染羽毛、放射性粒子等が捕集されるので、クリーンルーム、手術室、病棟、密閉型鶏舎、高線量休憩所、原発緊急時対策所等に適用が可能である。
【００２３】
図23に機械排気量Q11＞自然給気量Q12、室内圧Pr＜0(負圧)の第3種換気室31を示す。
第3種換気法は室内汚染物質の流出防止を目的とし、(室内旋回量Q13)=(内部誘引風量Q1)＋(Q11-Q12)である。
下段旋回流39は図6に示す下段平行流コア幕20bで発生し、上段旋回流40は上段平行流コア幕20aで発生する。
旋回する流れに室内浮遊塵が同伴輸送され、プレフィルタ6a,6bでろ過捕集される。付着塵はイオン平行流エアカーテン装置で人体や資材より剥離され、プレフィルタ6a,6bでろ過捕集される。室内発生汚染気流や汚染浮遊塵の多い喫煙室、厨房、便所、塗装室、射出成形工場、アスベスト作業室等に適用される。
【発明の効果】
【００２４】
建屋内の温度、湿度、気流速度、清浄度などの環境調整のために、機械換気により「室内空気の入れ替え」と「浮遊塵の排除」が行われ、さらに空調により温度調節が行われる。
しかし工場、施設、店舗などでは従業員、運搬車両、来客などの出入りのために、多くの出入口が開放状態で使用されている。このような開放出入口では、夏期における空調冷気や冬期における空調暖気が流出し、空調動力の約50%の損失が発生すると言われている。
さらに開放出入口より、路上浮遊塵、花粉、黄砂、PM10,火山灰、感染症蚊(デング熱、マラリヤ系)、放射性浮遊塵などが流入し、厨房・便所の臭気、喫煙室のたばこ煙、工場内部発生浮遊塵、乾燥室塗装液滴、アスベスト浮遊塵、感染症飛沫などが流出し、環境問題が発生する。
産業分類では、工場(生産設備、冷蔵倉庫等)および事業場(オフィス、小売業、飲食店、病院、ホテル、学校、サービス施設等)を一括して事業所という。(非特許文献12)によれば東京都内約69万事業所の内で、小売業と飲食店に代表される店舗約20万店の70%(約14万店)の開放出入口が存在する。工場関係を含めると20万個所以上の開放出入口が存在すると推定される。東京都だけでも20万個所以上の開放出入口が存在するので、世界全体の開放出入口の数は膨大な数値が予想される。開放出入口における空調動力の損失対策および環境汚染対策に有効なエアカーテン装置の開発は極めて重要な課題である。
【００２５】
以下に請求項1および請求項1のエアカーテン装置の主な開放出入口適用対象を示す。更に独立の集塵装置および除電装置として使用する事が出来る。
1.工場開放出入口設置用
1-1;製造工場。1-2;組立工場。1-3;縫製工場。1-4;冷蔵冷凍倉庫。1-5;クリーンルーム。1-6;塗装室。1-7;アスベスト処理室。1-8;食品工場。1-9;植物工場。1-10;閉鎖型鶏舎。
2.事業場開放出入口用
2-1;喫煙室（非特許文献13）。2-2;飲食店。2-3;店舗。2-4;オフィス。2-5;ホテル。2-6;学校。2-7;病院(病室、集中治療室。手術室)。2-8;高線量休憩所。2-9;原発緊急時対策所。2-10;サービス施設(空港ロビー、展示会場、美術館等)。
3.独立使用例
3-1;空気清浄器。
本発明のエアカーテン装置を室内に設置して、空気清浄器として使用する事が出来る。
3-2;除電装置。
本発明のイオン平行流エアカーテン装置を独立の除電装置として使用する事が出来る。
【００２６】
本発明のエアカーテン装置の設置による効果を列挙する。
1.冷気暖気流出入を防止。
各種の空調室や冷蔵倉庫の開放出入口に、本発明のエアカーテン装置を設置して場合、冷暖気の流入流出を防止して、空調動力損失を節減して省エネを図る。
2.雨天時の湿気流入防止。
工場開放出入口に、本発明のエアカーテン装置を設置した場合、雨天時の多湿空気の流入を防止して、食品のカビ発生や金属製品や精密金型等の発錆を防止する。
3.室内温度の均一化。
工場開放出入口に、本発明のエアカーテン装置を設置した場合、工場内に発生する旋回流により、工場内空気温度が均一化し生産性が向上する。
4.ガイドラインに対応した喫煙室の構成。
厚生労働省が示した喫煙室ガイドライン(非特許文献13)によれば、喫煙室には、1.出入口における室内タバコ煙やニオイの漏れ防止、2.出入口への近寄り風速0.2m/sの確保、3.喫煙室内の浮遊塵濃度0.15mg/m3以下の3条件が示されている。
開放出入口に本発明のエアカーテン装置を設置した排煙装置付き喫煙室は、図23に示したエアカーテン装置付き第3種換気室に相当する。本喫煙室では開放出入口における室内煙の漏煙はエアカーテンで防止される。出入口への近寄り風速0.2m/sは、図23に示す誘引風速24により確保される。室内浮遊塵濃度は、図26に示す射出成形工場の運転結果に示すように粒径5μｍ以上の濃度は300個/ft3以下で、制限値以下に保持される。喫煙室はタバコ煙中のタール分が拡散して室内壁に附着し、常に強いタール臭を放つ。本発明のエアカーテン装置は、図23に示す室内旋回流39,40によりタバコ煙を混合領域流21内に誘引し、プレフィルタ6a,6bでろ過してタール分はプレフィルタに附着捕集した後、換気扇で排出される。このため本発明のエアカーテンを装着した喫煙室は、タールの壁付着が少なく、タール臭も低い。
5.外部浮遊塵および付着塵の捕集。
平行流エアカーテン装置およびイオン平行流エアカーテン装置は、(非特許文献9)より粒径dがd≧5μｍの浮遊塵および付着塵を捕集する。路上浮遊塵、ダスト、バクテリア、カビ、一般昆虫、毛髪、花粉、黄砂、PM10、感染症蚊、放射性浮遊塵、鳥インフルエンザ汚染の浮遊塵・付着羽毛等を捕集する。粒子径dが5μｍ以下の微細粒子は外気中では大気中に拡散し、建屋内ではHEPAフィルタ付着の空気清浄器で捕集する。
6.室内発生浮遊塵および付着塵の捕集。
室内発生の内部浮遊塵は、浮遊アスベスト粉塵、工場内発生粉塵、産業用プラスチックス粉塵、浮遊油滴、塗料噴霧等があるが、プレフィルタで捕集可能である。
7.感染症対策
病室内に平行流エアカーテン装置をセットすれば、MERS,SARSコロナウイルス等の感染症飛沫(非特許文献14)の捕集が可能である。また野外に単独に平行流エアカーテン装置をセットすれば、感染症媒介蚊(デング熱、マラリヤ等)の捕虫用として使用する事が出来る。
8.室内空気清澄化
室内空気中の粒子径5μm以上の浮遊塵が多いと、室内空気はミー散乱により霞んで見え、逆に粒子径5μm以上の浮遊塵が減少すると、レイリー散乱により青空の様に清澄化する。
図26に射出成形工場開放出入口に平行流エアカーテン装置を設置した場合の浮遊塵濃度の測定値を示す。平行流エアカーテン装置のプレフィルタにより5μｍ以上の浮遊塵濃度が減少し、工場内空気は青空のように清澄化し、室内降塵量も劇的に減少した。
室内空気が青空化して清澄に見える事は、室内浮遊塵と降塵量の減少を意味し、食品工場、生鮮食品販売店、展示会場、組立工場等に有効である。美術館等で、開放出入口に平行流エアカーテン装置を設置すれば、来館者の持ち込み浮遊塵を捕集して館内浮遊塵が減少し、館内空気が青空化して清澄になり展示品の鑑賞環境が保持される。会場が広い場合は室内にエアカーテン装置を単独設置して館内浮遊塵を捕集する事が出来る。
9.独立除電装置
イオン平行流エアカーテン装置を、独立の除電装置として自動車用バンパー等の大型帯電物の除電に利用できる。
【図面の簡単な説明】
【００２７】
【図１】乱流自由噴流図である。
【図２】助走区間の説明図である。
【図３】スロット形吹出口の図である。
【図４】ダクト内平行気流速度分布図である。(a)は助走区間を経て十分に発達した長方形ダクト断面等速度線図を示し、(b)は助走区間を経て十分に発達した乱流平行流速度分布を示す。
【図５】三次元軸対称長方形ダクト助走区間端の平行気流コアと平行気流コア幕の図である。
【図６】平行流エアカーテン装置の構造図である。(a)は正面図であり、(b)は(a)のA-A矢視図で、(c)は(a)のB-B矢視図である。
【図７】吹出エルボ2aの詳細図である。
【図８】吹出エルボダクト内速度分布図である。
【図９】吹出エルボ空気噴流写真である。
【図１０】吸込エルボの図である。(a)は詳細図であり、(b)は速度分布図である。
【図１１】吸込エルボ5aの詳細図である。
【図１２】剪断層渦列11の図である。(a)は上段平行流コア幕20aと下段平行流コア幕20bと剪断層渦列11の関係を示し、(b)は剪断層渦列11を示す。
【図１３】平行流エアカーテン装置速度分布図である。
【図１４】通風ボックス100aの構造図である。
【図１５】吹出エルボ入口部詳細図である。(a)は側面図であり、(b)は整流格子3aの正面図であり、(c)は縮流ダクト12の上面図である。
【図１６】イオン平行流エアカーテン装置300の構造図である。(a)は正面図であり、(b)は(a)のA-A矢視図である。
【図１７】従来の送風型除電装置の例を示す図である。
【図１８】従来の除電装置とイオン平行流エアカーテン装置の除電時間の比較図である。
【図１９】通路間隔80cmのイオン平行流エアカーテン装置300の構造図である。
【図２０】通路間隔160cmの複式イオン平行流エアカーテン装置300の構造図である。
【図２１】第1種換気室(室内圧≒0)に設置した本発明のエアカーテン装置の特性図である。
【図２２】第2種換気室(室内圧＞0)に設置した本発明のエアカーテン装置の特性図である。
【図２３】第3種換気室(室内圧＜0)に設置した本発明のエアカーテン装置の特性図である。
【図２４】冷凍倉庫における本発明のエアカーテン装置の省エネ効果を示す図である。
【図２５】クリーンブースにおける本発明のエアカーテン装置の清浄化効果を示す図である。
【図２６】射出成型工場における本発明のエアカーテン装置の清浄化効果を示す図である
【図２７】自動車用塗装工程に本発明のエアカーテン装置を適用した実施例を示す図である。
【図２８】自動車用バンパーの連続除電にイオン平行流エアカーテン装置を使用した実施例を示す図である。
【発明を実施するための形態】
【００２８】
下記に本発明エアカーテン装置の試験結果の具体例を示す。
図24は野菜冷凍倉庫に、平行流エアカーテン装置200を設置した場合の省エネ試験結果を示す。冷凍倉庫の作業は午前8時に開扉して冷凍野菜を搬出し、未冷凍野菜を搬入して午後13時に閉扉する作業を連日繰り返す。冷凍温度-40℃,開扉時には-20℃に設定される。出入口ドア開口時に、エアカーテン装置を不使用の場合の消費電力の経過を(1)のカーブ、エアカーテン使用時の場合の消費電力の経過を(2)のカーブで示す。(1)の経過では8時の開扉と共に冷気が流出し外気が流入する状態で作業する。消費電力は2時間後の10時より急激に増大し、12時以降に安定する。翌日の同一作業にエアカーテンを作動した(2)の場合は、8時の開扉時の冷気流出はエアカーテンで遮断され、通過作業者によるエアカーテン破断の影響を含めても、(1)で示した10時よりの消費電力の異常な増加は無くなり、常温野菜の冷凍消費電力の増加による穏やかな増加曲線を示す。13時の閉扉後は、収納野菜の冷凍が進行し、消費電力も徐々に8時開扉時の最低消費電力値に向けて低下する。本試験における扉開口中の(1)、(2)の消費電力を比較してエアカーテン省エネ効果を求める。
1.(1)および(2)の経過について、開扉時間8時より13時に亘る5時間の消費電力Wを図22の消費電力曲線面積より求める。
2.(1)の全消費電力            
ΣW1=289Kwh   
3.(2)の全消費電力                  ΣW2=210Kwh
4.開扉時間中の省エネ量            △W=ΣW1-ΣW2 =210Kwh-289Kwh ==-79Kwh
5.開扉時間中の省エネ率            △W /ΣW1=-79Kwh/289Kwh=-0.27=-27%
6.扉閉鎖13時の電力削減率         (2)/(1)-1=(58kwh/79kwh)-1=0.73-1=-27%
本試験における平行流エアカーテン装置の全消費電力省エネ率と、扉閉鎖時の電力削減率は何れも-27%であった。作業者の通過が激しい本試験で、平行流エアカーテン装置は電力削減率-27%の好成績を得た。
【００２９】
図25は第2種換気室に属するクリーンブース出入口開扉時に、図19に示すイオン化平行流エアカーテン装置を設置した場合のクリーン化試験結果を示す。ブースへの供給クリーンエアクリーン度はクラス10,ブース周囲空気クリーン度はクラス100,000の標準外気クラスである。クリーンブースの通常使用状態でのブース内クリーン度はクラス10,000で、5μm濃度(5μm以上の粒子数)80個/ft3であった。これに対してブース出入口開扉時にイオン化平行流エアカーテン装置を設置した場合は、クラス4,000レベルの5μm濃度(11個/ft3)に減少した。本試験結果により、作業室出入口に平行流エアカーテン装置を設置して、室内にクリーン度の高い空気を給気すれば、5μm濃度が4,000クラスの作業室が容易に構成できる事が分った。
【００３０】
図26は図23に示す第3種換気室に属する射出成形工場(敷地面積300m2)出入口に図19のイオン化平行流エアカーテン装置300を設置した場合の工場内の清浄度測定結果を示す。
射出成形工場は発熱作業が多く大きな空冷動力を必要とするが、工場出入口開扉時のイオン化平行流エアカーテン装置の設置により、出入口における冷気漏出遮断による空調動力省エネ効果が得られ、同時に工場内温度が均一化したので、多数の射出成型機の温度調節精度が向上し生産性が向上した。また、雨天時の多湿空気の流入遮断で精密金型発錆が減少し、金型維持費が軽減した。
射出成形工場は溶融樹脂の冷却固化時のプラスチックス粉塵が多量に発生するが、工場出入口に図19に示す通路幅800mmのイオン平行流エアカーテン装置を設置した結果、イオン平行流エアカーテン装置による循環流換気による除塵効果と、従業員や資材の付着塵剥離捕集により、工場内空気の5μm濃度がクラス50,000相当にまで低下した。工場作業中は常に5〜10μm径の粉塵が浮遊しているが、作業停止後に沈降して装置や資材表面に堆積する。しかしイオン化平行流エアカーテン装置設置後は、工場内の各種設備表面の粉塵堆積が減少し、結果として製品樹脂の品質が向上した。工場内浮遊塵の減少により「発明の効果」欄に記述した様に、レイリー散乱による工場内空気の青空化が観察された。
本試験におけるイオン化平行流エアカーテン装置の効果をまとめると、(1)空調動力低減による省エネ、(2)室内浮遊塵減少による製品品質の向上、(3)工場内温度の均一化による生産性向上、(4)雨天時の高湿度空気流入阻止による精密金型防錆減少で金型費用を節約した。
【００３１】
図27は自動車用塗装工程の各塗装室に、本発明のエアカーテン装置を設置した実施例を示す。塗装室は塗装時に発生する余剰塗装液滴を同伴除去させるために、天井給気面41より床吸込面42に向けて低速の下降気流を流動さているが、下降気流は渦流を含む不均一な混合気流のために、余剰液滴が再付着して塗装面上に塗装ブツが発生する。塗装ブツ除去工程の削減は塗装工程の最大の課題である。この課題の対策として、図27に被塗装車W1毎の間に本発明のエアカーテン装置を設置した実施例を示す。エアカーテン装置は図23に示す様に室内に回転流39,40を形成し、余剰液滴を確実に同伴除去して、プレフィルタ6a,6b
により捕集する。さらに被塗装車W1列の間隔を最少限に短縮して、塗装工程長さの縮小を図ることが出来る。
【００３２】
図28は本発明のイオン平行流エアカーテン装置により、高分子材料製自動車用バンパーW2を連続除電した実施例を示す。移動台車46上のワークW2を、イオン平行流エアカーテン装置300を通過させて除電した。良好な除電結果を得た
【符号の説明】
【００３３】
1a,1b     
長方形筺体
2a,2b     
案内羽根入り吹出エルボ
3a,3b     
整流格子
4a,4b     
有圧換気扇
5a,5b     
案内羽根入り吸込エルボ
6a,6b     
プレフィルタ
7a,7b     
案内羽根入り吸込エルボ吸込口
8   
通路天板
9         
通路床面
10        
通路中央水平面
11        
せん断層渦列
12        
縮流ダクト
14a,14b    吹出口
20a   
上段非対称噴流コア幕，上段平行流コア幕
20b       
下段非対称噴流コア幕，下段平行流コア幕
21,22     
混合領域
23,24     
誘引気流
25,26     
噴流外縁
27a,27b   
イオン電極棒
29        
第1種換気室 
30        
第2種換気室
31        
第3種換気室
32        
第1種給気換気扇
33        
第1種排気換気扇
34        
第2種給気換気扇
35        
第2種排気口
36        
第3種排気換気扇
37        
第3種給気口
38        
エアカーテン通過者
39        
下段旋回流
40        
上段旋回流
41        
天井給気面
42        
床吸込面
43        
給気室
44        
仕切板
45        
塗装装置
46        
移動台車
Pr       
室内圧
Qa        
エアカーテン装置内循環量
Q1        
気流幕室内誘引量
Q2        
気流幕室外誘引量
Q3        
第1種機械給気量
Q4        
第1種機械排気量
Q5        
第1種室内循環量
Q6        
第1種室外循環量
Q7        
第2種機械給気量
Q8        
第2種排気量
Q9        
第2種室内循環量
Q10       
第2種室外循環量
Q11       
第3種機械排気量
Q12     
第3種給気量
Q13       
第3種室内循環量
Q14       
第3種室外循環量        
100a      
第1通風ボックス
100b      
第2通風ボックス
200       
平行流エアカーテン装置
300       
イオン平行流エアカーテン装置
【要約】
【課題】助走区間出口部で形成される平行気流は無渦流のため、強固な気流遮断性能を有しているので、平行気流で構成された平行流エアカーテン装置の開発を課題とした。
【解決手段】同一の上段非軸対称噴流コア幕と下段非軸対称噴流コア幕で構成した内循環上下向流方式のエアカーテン装置で平行流エアカーテン装置を完成した。
【選択図】図6【図１】
0005881227.tif 000004
【図２】
0005881227.tif 000005
【図３】
0005881227.tif 000006
【図４】
0005881227.tif 000007
【図５】
0005881227.tif 000008
【図６】
0005881227.tif 000009
【図７】
0005881227.tif 000010
【図８】
0005881227.tif 000011
【図９】
0005881227.tif 000012
【図１０】
0005881227.tif 000013
【図１１】
0005881227.tif 000014
【図１２】
0005881227.tif 000015
【図１３】
0005881227.tif 000016
【図１４】
0005881227.tif 000017
【図１５】
0005881227.tif 000018
【図１６】
0005881227.tif 000019
【図１７】
0005881227.tif 000020
【図１８】
0005881227.tif 000021
【図１９】
0005881227.tif 000022
【図２０】
0005881227.tif 000023
【図２１】
0005881227.tif 000024
【図２２】
0005881227.tif 000025
【図２３】
0005881227.tif 000026
【図２４】
0005881227.tif 000027
【図２５】
0005881227.tif 000028
【図２６】
0005881227.tif 000029
【図２７】
0005881227.tif 000030
【図２８】
0005881227.tif 000031